(57)【要約】【課題】シャッターの着脱を容易にできる人体局部洗浄装置を提供する。【解決手段】使用者が着座する便座と、永久磁石１３を有し、便座を回動可能に支持する本体部１０と、本体部１０に収納され、本体部１０から突出して人体局部に洗浄水を噴出するノズル１１と、永久磁石２２を有し、本体部１０に収納されたノズル１１が突出する前方に、本体部１０に対して回動可能に設けられたシャッター２０と、を備え、永久磁石１３及び永久磁石２２は、少なくともいずれか一方が磁石であり、シャッター２０は、永久磁石１３と永久磁石２２との間の磁力に基づいて、本体部１０と着脱可能に設けられる。【選択図】図４
2020100985.tif 000002
【特許請求の範囲】
【請求項１】
使用者が着座する便座と、
第一磁性体を有し、前記便座を回動可能に支持する本体部と、
前記本体部に収納され、前記本体部から突出して人体局部に洗浄水を噴出するノズルと、
第二磁性体を有し、前記本体部に収納された前記ノズルが突出する前方に、前記本体部に対して回動可能に設けられたシャッターと、を備え、
前記第一磁性体及び前記第二磁性体は、少なくともいずれか一方が磁石であり、
前記シャッターは、前記第一磁性体と前記第二磁性体との間の磁力に基づいて、前記本体部と着脱可能に設けられる
人体局部洗浄装置。
【請求項２】
前記本体部は、前記本体部の幅方向に延びる溝部を有し、
前記シャッターは、前記溝部に対応する凸部を有している
請求項１に記載の人体局部洗浄装置。
【請求項３】
前記凸部は、突起として円柱形状の一部を有し、
前記溝部は、前記円柱形状の一部に対応する凹部である
請求項２に記載の人体局部洗浄装置。
【請求項４】
前記本体部は、前記溝部近傍に前記第一磁性体を設け、
前記シャッターは、前記凸部近傍に前記第二磁性体が設けられ、当該凸部を回動軸として回動することにより開閉する
請求項２又は請求項３に記載の人体局部洗浄装置。
【請求項５】
前記シャッターは、
前記第二磁性体を有する第一部材と、
前記第一部材に対して回動可能に設けられた第二部材と、を有している
請求項１〜請求項３の何れか一項に記載の人体局部洗浄装置。
【発明の詳細な説明】
【技術分野】
【０００１】
本発明は、人体局部洗浄装置に関する。
【背景技術】
【０００２】
従来から、便座を回動可能に支持する本体部と、人体局部を洗浄するノズルと、本体部に収納されたノズルが突出する前方に本体部に対して回動可能に設けられたシャッターと、を備える人体局部洗浄装置が知られている。（例えば、特許文献１）
こうした人体局部洗浄装置において、シャッターは、人体局部を洗浄していないとき、ノズル開口部の周辺を汚れから守る構成となっている。
【先行技術文献】
【特許文献】
【０００３】
【特許文献１】特開２０１７−２０６９１４号公報
【発明の概要】
【発明が解決しようとする課題】
【０００４】
ところで、上記のような人体局部洗浄装置では、シャッターを本体部に固定し、回動する構造となっているため、リンク機構などの複雑な構造となっている。よって、シャッターを取り外して清掃する場合に、シャッターの取り外しが困難であった。
【０００５】
本発明はこうした実情に鑑みてなされたものである。その目的は、シャッターの着脱を容易にできる人体局部洗浄装置を提供することにある。
【課題を解決するための手段】
【０００６】
上記の課題を解決する人体局部洗浄装置は、使用者が着座する便座と、第一磁性体を有し、前記便座を回動可能に支持する本体部と、前記本体部に収納され、前記本体部から突出して人体局部に洗浄水を噴出するノズルと、第二磁性体を有し、前記本体部に収納された前記ノズルが突出する前方に、前記本体部に対して回動可能に設けられたシャッターと、を備え、前記第一磁性体及び前記第二磁性体は、少なくともいずれか一方が磁石であり、前記シャッターは、前記第一磁性体と前記第二磁性体との間の磁力に基づいて、前記本体部と着脱可能に設けられる。
【０００７】
上記構成によれば、シャッターは、本体部に設けられた第一磁性体とシャッターに設けられた第二磁性体との間の磁力に基づいて、本体部と着脱可能に設けられている。よって、シャッターの着脱を容易に行うことができる。
【０００８】
上記人体局部洗浄装置において、前記本体部は、前記本体部の幅方向に延びる溝部を有し、前記シャッターは、前記溝部に対応する凸部を有していることが好ましい。
【０００９】
上記構成によれば、シャッターを本体部に取り付ける場合は、本体部の溝部にシャッターの凸部を取り付けることで行う。よって、シャッターを本体部に容易に取り付けることができる。
【００１０】
上記人体局部洗浄装置において、前記凸部は、突起として円柱形状の一部を有し、前記溝部は、前記円柱形状の一部に対応する凹部であることが好ましい。
【００１１】
上記構成によれば、シャッターを本体部に取り付ける場合は、本体部の溝部にシャッターに設けられた円柱形状の突起である凸部を取り付けることで行う。よって、シャッターを本体部により容易に取り付けることができる。
【００１２】
上記人体局部洗浄装置において、前記本体部は、前記溝部近傍に前記第一磁性体を設け、前記シャッターは、前記凸部近傍に前記第二磁性体が設けられ、当該凸部を回動軸として回動することにより開閉することが好ましい。
【００１３】
上記構成によれば、シャッターの着脱機構に対応する凸部及び溝部は、シャッターの回動機構を備える。よって、シャッターの回動機構としてリンク機構などの複雑な機構を用いることなく、簡易な構成によりシャッターを回動させることができる。また、突起として円柱形状の一部を有する凸部と、当該円柱形状に対応する凹部である溝部とすることで、溝部に対して凸部を滑らせてシャッターを回動させるため、シャッターを安定して回動させることができる。
【００１４】
上記人体局部洗浄装置において、前記シャッターは、前記第二磁性体を有する第一部材と、前記第一部材に対して回動可能に設けられた第二部材と、を有していることが好ましい。
【００１５】
上記構成によれば、ノズルの動きと連動してシャッターを回動させる際に、第一部材はシャッターに固定されたままで、第二部材を回動させる。よって、シャッターが回動したとしても、回動するのは第二部材だけであり、第一部材によってシャッターを本体部に固定させることができるため、シャッターを安定して回動させることができる。
【図面の簡単な説明】
【００１６】
【図１】一実施形態に係る人体局部洗浄装置の斜視図。
【図２】シャッターが閉状態の人体局部洗浄装置の拡大斜視図。
【図３】シャッターが開状態の人体局部洗浄装置の拡大斜視図。
【図４】図３におけるＡ−Ａ線矢視断面図。
【図５】シャッターを本体部から取り外した人体局部洗浄装置の拡大斜視図。
【図６】第１の変形例に係る人体局部洗浄装置の拡大斜視図。
【図７】第１の変形例に係る人体局部洗浄装置の拡大斜視図。
【図８】第１の変形例に係る人体局部洗浄装置の拡大斜視図。
【図９】第２の変形例に係る人体局部洗浄装置に拡大斜視図。
【図１０】第２の変形例に係る人体局部洗浄装置に拡大斜視図。
【図１１】図１１におけるＢ−Ｂ線矢視断面図。
【図１２】第２の変形例に係る人体局部洗浄装置に拡大斜視図。
【発明を実施するための形態】
【００１７】
以下、人体局部洗浄装置の一実施形態について説明する。
【００１８】
図１に示すように、人体局部洗浄装置１は、当該人体局部洗浄装置１の主要な機能を備える本体部１０と、使用者が着座する便座３０と、便座３０を覆う便蓋４０と、を備える。また、図示を省略するが、人体局部洗浄装置１は、スイッチが備えられた操作部を備える。なお、本実施形態の人体局部洗浄装置１は、便器５０の上面に取り付けられた状態で使用される。
【００１９】
本体部１０は、便器５０の上部後方に設けられている。図２、３は、便座３０と便蓋４０を開状態にした場合の人体局部洗浄装置１である。図２、３に示すように、本体部１０は、温水タンクから供給される温水によって使用者の局部を洗浄するノズル１１と、本体部１０に対して回動可能に設けられたシャッター２０と、を備える。
【００２０】
図示を省略するが、本体部１０は、例えば、貯留した水を加熱する温水タンクと、温風を送風して使用者の局部を乾燥させる温風乾燥機と、トイレ空間に使用者が入ってきたことを検知する入室検知センサと、使用者が便座３０に着座することを検知する着座検知センサと、ノズル１１の洗浄を行うノズル洗浄水を噴出するノズル洗浄部材と、便座３０を開閉移動させる便座開閉機構と、便蓋４０を開閉移動させる便蓋開閉機構と、人体局部洗浄装置１の構成部材の動作を制御する制御部などを備える。
【００２１】
図４に示すように、本体部１０は、第一磁性体の一例としての永久磁石１３（磁石）を備える。永久磁石１３は、本体部１０の内側に一体に設けられた複数のフック部１４によって本体部１０の内側に固定されており、本体部１０の幅方向に延びる溝部１２の裏側に、当該溝部１２に沿うように設けられる。こうして、永久磁石１３は、溝部１２近傍に設けられている。
【００２２】
ノズル１１は、用途に合わせて使い分けることができる２種類のノズルを有する。また、ノズル１１は、使用者の局部を洗浄できる位置と本体部１０に収まる位置とを進退動作する。使用者の局部を洗浄する場合は、ノズル１１が前進し、ノズル１１の先端から温水を噴射する。そして、ノズル１１を洗浄する場合は、本体部１０にノズル１１を収納した状態でノズル洗浄部材によってノズル洗浄水をノズル１１に噴出させることで行う。また、ノズル１１を洗浄する場合は、ノズル洗浄部材による洗浄方法だけでなく、人体局部を洗浄する噴出口からノズル洗浄水を噴出させて、ノズル１１自ら洗浄を行う方法でもよい。
【００２３】
シャッター２０は、本体部１０に収納されたノズル１１が突出する前方に、本体部１０に対して回動可能に設けられている。シャッター２０は、閉位置において、ノズル１１の先端部を覆う。これにより、ノズル１１や、更にはその周辺部の汚れを抑制したり、ノズル１１を隠して美観を維持したりすることが可能となる。シャッター２０の形状は、本体部１０の前方に沿った形状となっている。また、シャッター２０は、本体部１０の溝部１２に対応する凸部２１を備える。凸部２１は、突起として円柱形状の一部を有しており、本体部１０の溝部１２に対応した形状となっている。また、凸部２１近傍には、第二磁性体の一例としての永久磁石２２（磁石）が設けられており、詳しくは、インサート成形によって凸部２１の内部に設けられている。永久磁石２２は、円柱形状であり、凸部２１の長手方向に沿って延びている。また、永久磁石１３、２２には、例えば、合金磁石、フェライト磁石又はネオジム磁石などを用いてもよい。
【００２４】
図５は、シャッター２０を本体部１０から取り外した場合の人体局部洗浄装置１である。シャッター２０を本体部１０に取り付ける場合は、凸部２１の円柱形状の一部に対応する凹部である溝部１２に、凸部２１を取り付けることで行う。こうして、シャッター２０は、溝部１２近傍に設けられる永久磁石１３と凸部２１近傍に設けられる永久磁石２２との間の磁力に基づいて、本体部１０と着脱可能に設けられる。永久磁石１３、２２は、シャッター２０を本体部１０に対して着脱可能であり、シャッター２０を回動させることができる磁力である。また、シャッター２０は、本体部１０に永久磁石１３、２２の磁力に基づいて着脱可能であるため、リンク機構などの複雑な形状を有しておらず、使用者がシャッター２０を容易に清掃することができる。このため、清潔性に優れたシャッター２０を提供することができる。
【００２５】
本発明の実施形態に係る人体局部洗浄装置１、特に、シャッター２０の回動機能について説明する。シャッター２０は、ノズル１１の動きに連動して回動する。シャッター２０は、人体局部を洗浄する際に伴うノズル１１の突出により、シャッター２０の裏面をノズル１１によって押されることで、凸部２１を回動軸として回動することにより開閉する。溝部１２近傍と凸部２１近傍とには永久磁石１３、２２を備えるため、永久磁石１３、２２との間の磁力に基づいて、凸部２１は溝部１２に接続した状態で、溝部１２に対して凸部２１を摺動させてシャッター２０を回動させることができる。そして、ノズル１１による人体局部洗浄が終わると、ノズル１１を本体部内部に収納させることで、シャッター２０を閉状態に回動させる。こうして、シャッター２０を本体部に対して回動させる。
【００２６】
以上詳述したように、本実施形態によれば以下に示す効果を得ることができる。
（１）シャッター２０は、本体部１０に設けられた永久磁石１３とシャッター２０に設けられた永久磁石２２との間の磁力に基づいて、本体部１０と着脱可能に設けられている。よって、シャッター２０の着脱を容易に行うことができる。
（２）シャッター２０を本体部１０に取り付ける場合は、本体部１０の溝部１２にシャッター２０の凸部２１を取り付けることで行う。よって、シャッター２０を本体部１０に容易に取り付けることができる。
（３）シャッター２０の着脱機構に対応する凸部２１及び溝部１２は、シャッター２０の回動機構を備える。よって、シャッター２０の回動機構としてリンク機構などの複雑な機構を用いることなく、簡易な構成によりシャッター２０を回動させることができる。また、突起として円柱形状の一部を有する凸部２１と、当該円柱形状に対応する凹部である溝部１２とすることで、溝部１２に対して凸部２１を滑らせてシャッター２０を回動させるため、シャッター２０を安定して回動させることができる。
（４）第一磁性体及び第二磁性体ともに永久磁石１３、２２を用いているため、第一磁性体及び第二磁性体の一方を永久磁石、他方を金属とする構成と比べて、シャッター２０を本体部１０により強力に取り付けることができる。
【００２７】
なお、上記実施形態は、以下に示すように変更してもよい。
【００２８】
・図６乃至８に示すように、人体局部洗浄装置１０１の本体部１１０の使用者が座る側の面が斜面になっている場合には、シャッター１２０を本体部１１０の斜面に沿う形状としてもよい。また、本体部１１０の溝部１１２は、ノズル１１１の上端に設けてもよい。
【００２９】
・図９、１０に示すように、人体局部洗浄装置２０１は、シャッター２２０を第一部材２２３と第二部材２２４の２つの部材からなる構成としてもよい。図１１に示すように、シャッター２２０は、永久磁石２２２（第二磁性体の一例）を有する第一部材２２３と、当該第一部材２２３に対して回動可能に設けられた第二部材２２４と、を有する。
【００３０】
第一部材２２３は、薄い板状に形成されている。また、第一部材２２３は、永久磁石２２２を備える。永久磁石２２２は、第一部材２２３に形成された凹部に設けられ、当該凹部に嵌合又は接着にて固定される。また、永久磁石２２２は、第一部材２２３にインサート成形によって設けられてもよい。
【００３１】
第二部材２２４は、ヒンジ２２５により第一部材２２３に対して回動可能に設けられている。また、第二部材２２４は、本体部２１０に収納されたノズル２１１が突出する前方に設けられ、薄い板状に形成されている。
【００３２】
本体部２１０は、第一部材２２３に対応する凹部２１５を備える。また、本体部２１０は、第一磁性体の一例としての永久磁石２１３を設ける。永久磁石２１３は、本体部２１０の内側に一体に設けられた複数のフック部２１４によって本体部２１０の内側に固定されている。また、永久磁石２１３、２２２は、シャッター２２０を本体部２１０に対して着脱可能である磁力である。
【００３３】
図１２は、シャッター２２０を本体部２１０から取り外した場合の人体局部洗浄装置２０１である。シャッター２２０を本体部２１０に取り付ける場合は、本体部２１０に設けられた凹部２１５に、シャッターの第一部材２２３を取り付けることで行う。こうして、シャッター２２０は、凹部２１５に設けられる永久磁石２１３と第一部材２２３に設けられる永久磁石２２２との間の磁力に基づいて、本体部２１０と着脱可能に設けられる。
【００３４】
これによれば、ノズル２１１の動きと連動してシャッター２２０を回動させる場合は、第一部材２２３をシャッター２２０に固定したまま、第二部材２２４を回動させることで行う。よって、シャッター２２０が回動したとしても、回動するのは第二部材２２４だけであり、第一部材２２３によってシャッター２２０を本体部２１０に固定させることができるため、シャッター２２０を安定して回動させることができる。
【００３５】
また、永久磁石２２２を第一部材２２３に設けるとしたが、第一部材２２３の全体を永久磁石としてもよい。なお、その場合には、本体部２１０は、第一部材２２３を本体部２１０に取り付けた際に第一部材２２３に当接する本体部の凹部２１５近傍に永久磁石を備えるとしてもよい。したがって、第一部材２２３全体が磁性体を有するため、第一部材２２３の一部に磁性体を有する場合と比べて、シャッター２２０を本体部２１０により強力に固定できる。
【００３６】
また、図４に示す凸部２１を第一部材２２３に備え、図４に示す溝部１２を凹部２１５に備えるとしてもよい。なお、その場合には、第一磁性体を凸部近傍に設け、第二磁性体を溝部近傍に設けるとしてもよい。したがって、シャッター２２０を本体部２１０に取り付ける場合は、本体部２１０の溝部にシャッター２２０の凸部を取り付けることで行うため、シャッター２２０を本体部２１０に容易に取り付けることができる。
【００３７】
また、本体部２１０は凹部２１５を設けるとしたが、これに限定されない。本体部２１０は、凹部２１５を設けずに、凹部２１５を設けた面をフラットな面に形成してもよい。なお、この場合には、シャッター２２０を本体部２１０に取り付けた場合に、永久磁石２２２に対応する本体部２１０の内側に永久磁石２１３を設けるとしてもよい。また、凹部２１５を設けず、図４に示す溝部１２を本体部２１０に備え、図４に示す凸部２１を第一部材２２３に備えるとしてもよい。なお、その場合には、第一磁性体を凸部近傍に設け、第二磁性体を溝部近傍に設けるとしてもよい。
【００３８】
また、本体部２１０は、凹部２１５に加え、第二部材２２４に対応する本体部２１０に凹部を設けてもよい。
【００３９】
・第一磁性体及び第二磁性体は永久磁石１３、２２、２１３、２２２としたが、第一磁性体及び第二磁性体のいずれか一方を永久磁石とし、他方を磁性体（強磁性体）を有する金属（例えば、鉄、コバルト、ニッケル、フェライト又はそれらの合金など）としてもよい。また、第一磁性体及び第二磁性体は、少なくともいずれか一方を電磁石としてもよい。
【００４０】
・永久磁石１３、２１３は、フック部１３、２１４によって本体部１０、２１０の内側に固定するとしたが、インサート成形によって本体部１０、２１０に設けるとしてもよい。また、永久磁石１３、２１３は、本体部１０、２１０の内側に接着により固定してもよい。その他には、本体部１０、２１０の内側に凹部を形成し、当該凹部に永久磁石１３、２１３を嵌合又は接着により固定してもよい。
【００４１】
・永久磁石１３、２１３（第一磁性体）は、本体部２１０の内側に設けるとしたが、本体部２１０全体を永久磁石又は磁性体（強磁性体）を有する金属としてもよい。なお、磁性体（強磁性体）を有する金属にて本体部２１０全体を形成した場合には、シャッター２０、２２０に設けられた第二磁性体は永久磁石を用いるとしてもよい。また、永久磁石にて本体部２１０を形成した場合には、シャッター２０、２２０に設けられる第二磁性体は永久磁石又は磁性体（強磁性体）を有する金属を用いるとしてもよい。
【００４２】
・永久磁石２２（第二磁性体）は、凸部２１の内部に備えるとしたが、凸部２１全体を永久磁石又は磁性体（強磁性体）を有する金属としてもよい。また、その他には、凸部２１の外周に、永久磁石又は磁性体（強磁性体）を有する金属を備えるとしてもよい。なお、磁性体（強磁性体）を有する金属にて第二磁性体を形成した場合には、シャッター２０に設けられた第一磁性体は永久磁石を用いるとしてもよい。また、永久磁石にて第二磁性体を形成した場合には、シャッター２０に設けられた第二磁性体は永久磁石又は磁性体（強磁性体）を有する金属を用いるとしてもよい。
【００４３】
・シャッター２０、１２０、２２０は、閉位置において、ノズル１１、１１１、２１１の先端部を覆うとしたが、これに限定されない。シャッターは、ノズルの先端部と温風乾燥機とを覆うように設けられてもよい。なお、その場合には、ノズル又は温風乾燥機を突出させることで、シャッターを開閉させてもよい。
【符号の説明】
【００４４】
１、１０１、２０１：人体局部洗浄装置
１０、１１０、２１０：本体部
１１、１１１、２１１：ノズル
１２、１１２：溝部
１３、２１３：永久磁石（第一磁性体の一例）
１４、２１４：フック部
２１５：凹部
２０、１２０、２２０：シャッター
２１：凸部
２２、２２２：永久磁石（第二磁性体の一例）
２２３：第一部材
２２４：第二部材
２２５：ヒンジ
３０：便座
４０：便蓋
５０：便器
【図１】
2020100985.tif 000003
【図２】
2020100985.tif 000004
【図３】
2020100985.tif 000005
【図４】
2020100985.tif 000006
【図５】
2020100985.tif 000007
【図６】
2020100985.tif 000008
【図７】
2020100985.tif 000009
【図８】
2020100985.tif 000010
【図９】
2020100985.tif 000011
【図１０】
2020100985.tif 000012
【図１１】
2020100985.tif 000013
【図１２】
2020100985.tif 000014